(57)【要約】【課題】複数の事業者の情報を統合し、消費者の便利にブラウジングする要求を満たす事業者メッセージ統合システム及びその使用方法を提供する。【解決手段】事業者メッセージ統合システムは、メッセージ統合プラットフォームとメッセージ操作モジュールを含む。メッセージ統合プラットフォームは、事業者コード対照表と複数の事業者メッセージリストを含み、事業者コード対照表は、事業者メッセージリストと対応する複数の事業者コードを有する。メッセージ操作モジュールは、入力ユニット、処理ユニット及び伝送ユニットを含む。入力ユニットは、指令を入力する。処理ユニットは、指令を受け取り、要求信号を生成する。伝送ユニットは、要求信号を発し、メッセージ統合プラットフォームと接続する。指令は、事業者コードのうち１つを含み、メッセージ操作モジュールは、指令と事業者コード対照表に基づき、メッセージ統合プラットフォームから事業者メッセージリストを受け取る。【選択図】図１
2017102909.tif 000002
【特許請求の範囲】
【請求項１】
事業者コード対照表及び複数の事業者メッセージリストを自身に予め保存し、該事業者コード対照表は、複数組の該事業者メッセージリストと対応する事業者コードを有するメッセージ統合プラットフォームと、
第１指令を入力することに用いられる入力ユニットと、
該入力ユニットと接続し、該第１指令を受け、接続要求信号を生成する処理ユニットと、
該処理ユニットと接続し、該接続要求信号を発し、該メッセージ統合プラットフォームと接続する伝送ユニットと、
を含むメッセージ操作モジュールと、
を含み、そのうち、該第１指令は、該事業者コードのうち１つを含み、該メッセージ操作モジュールは、該第１指令及び該事業者コード対照表に基づき、該メッセージ統合プラットフォームから該事業者メッセージリストを受け取る、事業者メッセージ統合システム。
【請求項２】
更に、ネットワークモジュールを含み、該メッセージ統合プラットフォームは、外部メッセージ統合プラットフォームであり、該メッセージ操作モジュールの外部に設置され、該メッセージ操作モジュールは、該ネットワークモジュールを介して該メッセージ統合プラットフォームと接続する請求項１に記載の事業者メッセージ統合システム。
【請求項３】
前記メッセージ操作モジュールは、更に、表記ユニットを含み、該処理ユニットと接続し、該メッセージ統合プラットフォームの情報を表示する請求項１に記載の事業者メッセージ統合システム。
【請求項４】
前記メッセージ操作モジュールは、更に、取引ユニットを含み、該処理ユニットと接続し、該入力ユニットは、更に第２指令を入力することに用いられ、該処理ユニット及び該取引ユニットが該第２指令を受け取り、取引要求信号を生成し、該伝送ユニットを介して該メッセージ統合プラットフォームへ発送し、該メッセージ統合プラットフォームにより取引を完成する請求項３に記載の事業者メッセージ統合システム。
【請求項５】
前記メッセージ操作モジュールは、更に、コードクエリユニットを含み、該処理ユニットと接続し、該入力ユニットは、更に第３指令を入力することに用いられ、該処理ユニット及び該コードクエリユニットが該第３指令を受け取り、該第３指令は、事業者名称を含み、コードクエリ要求信号を生成し、該伝送ユニットを介して該メッセージ統合プラットフォームを発送し、問い合わせされた該組事業者コードをダウンロードし、該表示ユニットが該組事業者コードを表示する請求項３に記載の事業者メッセージ統合システム。
【請求項６】
前記メッセージ操作モジュールは、テレビ及びリモートコントローラの組み合わせであり、該表示ユニットは、該テレビに設置され、該入力ユニットは、該リモートコントローラに設置される請求項３に記載の事業者メッセージ統合システム。
【請求項７】
前記メッセージ操作モジュールは、モバイル電子装置であり、該入力ユニットは、ボタン又はタッチスクリーンである請求項３に記載の事業者メッセージ統合システム。
【請求項８】
前記メッセージ統合プラットフォームは、更に、保存ユニットを含み、該事業者コード対照表及び該事業者メッセージリストを保存し、該事業者メッセージリストは、商品情報及び支払い情報を含む請求項１に記載の事業者メッセージ統合システム。
【請求項９】
前記事業者メッセージリストは、特定のウェブページアドレスを含む請求項１に記載の事業者メッセージ統合システム。
【請求項１０】
前記メッセージ統合プラットフォームは、該メッセージ操作モジュールに組み込まれる請求項１に記載の事業者メッセージ統合システム。
【請求項１１】
前記メッセージ操作モジュールは、メモリユニットを有し、該処理ユニットと接続し、該メッセージ統合プラットフォームは、該メモリユニットに嵌合設置される請求項１０に記載の事業者メッセージ統合システム。
【請求項１２】
更に、ネットワークモジュール及びリモートサーバを含み、該メッセージ操作モジュールは、更に、更新ユニットを含み、該処理ユニットと接続し、該入力ユニットは更に第４指令を入力することに用いられ、該処理ユニット及び該更新ユニットは、該第４指令を受け取り、メッセージ更新要求信号を生成し、該伝送ユニットを介して該ネットワークモジュールへ発送し、該リモートサーバに伝送し、該組み込み式メッセージ統合プラットフォームの情報を更新する請求項１０に記載の事業者メッセージ統合システム。
【請求項１３】
事業者コード対照表及び複数の事業者メッセージリストを自身に予め保存するメッセージ統合プラットフォームを提供し、そのうち、該事業者コード対照表は、複数組の該事業者メッセージリストと対応する事業者コードを有する工程と、
メッセージ操作モジュールを提供する工程と、
該メッセージ操作モジュールに第１指令を入力し、接続要求信号を該事業者メッセージ統合システムに発送し、該事業者メッセージ統合システムと接続し、そのうち、該第１指令は、該事業者コードのうちの１つを含む工程と、
該メッセージ操作モジュールが該第１指令及び該事業者コード対照表に基づいて該メッセージ統合プラットフォームから該事業者メッセージリストを受け取る工程と、
を含む、事業者メッセージ統合システムの使用方法。
【請求項１４】
前記メッセージ操作モジュールは、該事業者メッセージリストを受け取った後、該メッセージ操作モジュールは、第２指令を入力し、取引要求信号を発送し、該メッセージ統合プラットフォームにより取り引きを完成する請求項１３に記載の事業者メッセージ統合システムの使用方法。
【請求項１５】
前記メッセージ操作モジュールが該第１指令を入力する前、該メッセージ操作モジュールが第３指令を入力し、該第３指令は、事業者名称を含み、コードクエリ要求信号を発送し、該メッセージ操作モジュールは、第３指令及び該事業者コード対照表に基づき、問い合わせされた該組の事業者コードをダウンロードする請求項１３に記載の事業者メッセージ統合システムの使用方法。
【請求項１６】
前記事業者メッセージリストは、商品情報及び支払い情報を含み、該メッセージ操作モジュールは、表示ユニットを含み、該メッセージ操作モジュールが該事業者メッセージリストを受け取った後、該表示ユニットは、該事業者メッセージリストの該商品情報及び該支払い情報を表示する請求項１３に記載の事業者メッセージ統合システムの使用方法。
【請求項１７】
前記事業者メッセージリストは、特定のウェブページアドレスを含み、該メッセージ操作モジュールが該事業者メッセージリストを受け取った後、該事業者メッセージリストの該特定のウェブページアドレスを実行する請求項１３に記載の事業者メッセージ統合システムの使用方法。
【請求項１８】
前記メッセージ統合プラットフォームは、外部メッセージ統合プラットフォームであり、該メッセージ操作モジュールの外部に設置され、該メッセージ操作モジュールは、ネットワークモジュールを介して該メッセージ統合プラットフォームと接続する請求項１３に記載の事業者メッセージ統合システムの使用方法。
【請求項１９】
前記メッセージ統合プラットフォームは、組み込み式メッセージ統合プラットフォームであり、該メッセージ操作モジュールに組み込まれ、該メッセージ操作モジュールが該第１指令を入力する前に、更に、該メッセージ操作モジュールが第４指令を入力し、メッセージ更新要求信号を発送し、ネットワークモジュールを介してリモートサーバを伝送し、該組み込み式メッセージ統合プラットフォームの情報を更新する請求項１３に記載の事業者メッセージ統合システムの使用方法。
【請求項２０】
前記メッセージ操作モジュールは、入力ユニット、伝送ユニット及び処理ユニットを含み、該処理ユニットは、それぞれ該入力ユニット及び該伝送ユニットに接続し、該入力ユニットは、該第１指令を入力し、該接続要求信号を生成することに用いられ、該伝送ユニットは、該接続要求信号を発し、該メッセージ統合プラットフォームに接続する請求項１３に記載の事業者メッセージ統合システムの使用方法。
【発明の詳細な説明】
【技術分野】
【０００１】
本発明は、メッセージ統合システム及びその使用方法に関し、特に事業者メッセージ統合システム及びその使用方法に関する。
【背景技術】
【０００２】
デジタル化時代の到来に伴って、インターネット科学技術は、人々の生活を更に快適で便利にしている。例えば、消費者は、外出せずに、インターネットの操作によって必要な物品を購入することができ、その利便性は、消費者の消費習慣を徐々に変化させている。
【０００３】
使用者がショッピングを行う時、事業者のウェブページに接続し、自己の要求に合った商品があるかをブラウジングする必要がある。或いは、携帯電話又はタブレットを利用してショッピングを行う時、ＡｐｐＳｔｏｒｅ又はＧｏｏｇｌｅストアのＧｏｏｇｌｅＰｌａｙで該事業者の専属ＡＰＰアプリケーションプログラムをインストールし、該事業者の専属ウェブページに接続し、ショッピングを行う必要がある。しかしながら、消費者が多くの好みの事業者がある時、消費者は、該事業者の専属アプリケーションを対応してインストールする必要があり、非常に不便である。
【発明の概要】
【発明が解決しようとする課題】
【０００４】
本発明の目的は、複数の事業者の情報を統合し、消費者の便利にブラウジングする要求を満たし、更に、ショッピングのサービスを提供するメッセージ統合システム及びその使用方法を提供することにある。
【課題を解決するための手段】
【０００５】
上記目的を達成する為、本発明は、事業者メッセージ統合システムを提供する。該事業者メッセージ統合システムは、メッセージ統合プラットフォーム及びメッセージ操作モジュールを含む。メッセージ統合プラットフォームは、事業者コード対照表及び複数の事業者メッセージリストを自身に予め保存し、該事業者コード対照表は、複数組の該事業者メッセージリストと対応する事業者コードを有する。該メッセージ操作モジュールは、入力ユニット、処理ユニット及び伝送ユニットを含む。入力ユニットは、第１指令を入力することに用いられる。処理ユニットは、該入力ユニットと接続し、該第１指令を受け、接続要求信号を生成する。伝送ユニットが該処理ユニットと接続し、該接続要求信号を発し、該メッセージ統合プラットフォームと接続する。そのうち、該第１指令は、該事業者コードのうち１つを含み、該メッセージ操作モジュールは、該第１指令及び該事業者コード対照表に基づき、該メッセージ統合プラットフォームから該事業者メッセージリストを受け取る。
【０００６】
本発明の実施例に基づき、事業者メッセージ統合システムは、更に、ネットワークモジュールを含み、該メッセージ統合プラットフォームは、外部メッセージ統合プラットフォームであり、該メッセージ操作モジュールの外部に設置され、該メッセージ操作モジュールは、該ネットワークモジュールを介して該メッセージ統合プラットフォームと接続する。
【０００７】
本発明の実施例に基づき、該メッセージ操作モジュールは、更に、表記ユニットを含み、該処理ユニットと接続し、該メッセージ統合プラットフォームの情報を表示する。
【０００８】
本発明の実施例に基づき、該メッセージ操作モジュールは、更に、取引ユニットを含み、該処理ユニットと接続し、該入力ユニットは、更に第２指令を入力することに用いられ、該処理ユニット及び該取引ユニットが該第２指令を受け取り、取引要求信号を生成し、該伝送ユニットを介して該メッセージ統合プラットフォームへ発送し、該メッセージ統合プラットフォームにより取引を完成する。
【０００９】
本発明の実施例に基づき、該メッセージ操作モジュールは、更に、コードクエリユニットを含み、該処理ユニットと接続し、該入力ユニットは、更に第３指令を入力することに用いられ、該処理ユニット及び該コードクエリユニットが該第３指令を受け取り、該第３指令は、事業者名称を含み、コードクエリ要求信号を生成し、該伝送ユニットを介して該メッセージ統合プラットフォームを発送し、問い合わせされた該組事業者コードをダウンロードし、該表示ユニットが該組事業者コードを表示する。
【００１０】
本発明の実施例に基づき、該メッセージ操作モジュールは、テレビ及びリモートコントローラの組み合わせであり、該表示ユニットは、該テレビに設置され、該入力ユニットは、該リモートコントローラに設置される。
【００１１】
本発明の実施例に基づき、該メッセージ操作モジュールは、モバイル電子装置であり、該入力ユニットは、ボタン又はタッチスクリーンである。
【００１２】
本発明の実施例に基づき、該メッセージ統合プラットフォームは、更に、保存ユニットを含み、該事業者コード対照表及び該事業者メッセージリストを保存し、該事業者メッセージリストは、商品情報及び支払い情報を含む。
【００１３】
本発明の実施例に基づき、該事業者メッセージリストは、特定のウェブページアドレスを含む。
【００１４】
本発明の実施例に基づき、該メッセージ統合プラットフォームは、該メッセージ操作モジュールに組み込まれる。
【００１５】
本発明の実施例に基づき、該メッセージ操作モジュールは、メモリユニットを有し、該処理ユニットと接続し、該メッセージ統合プラットフォームは、該メモリユニットに嵌合される。
【００１６】
本発明の実施例に基づき、事業者メッセージ統合システムは、更に、ネットワークモジュール及びリモートサーバを含み、該メッセージ操作モジュールは、更に、更新ユニットを含み、該処理ユニットと接続し、該入力ユニットは更に第４指令を入力することに用いられ、該処理ユニット及び該更新ユニットは、該第４指令を受け取り、メッセージ更新要求信号を生成し、該伝送ユニットを介して該ネットワークモジュールへ発送し、該リモートサーバに伝送し、該組み込み式メッセージ統合プラットフォームの情報を更新する。
【００１７】
本発明は、事業者メッセージ統合システムの使用方法を更に提供し、それは、以下の工程を含む：先ず、事業者コード対照表及び複数の事業者メッセージリストを自身に予め保存するメッセージ統合プラットフォームを提供し、そのうち、該事業者コード対照表は、複数組の該事業者メッセージリストと対応する事業者コードを有する。続いて、メッセージ操作モジュールを提供する。続いて、該メッセージ操作モジュールに第１指令を入力し、接続要求信号を該事業者メッセージ統合システムに発送し、該事業者メッセージ統合システムと接続し、そのうち、該第１指令は、該事業者コードのうちの１つを含む。その後、該メッセージ操作モジュールは、該第１指令及び該事業者コード対照表に基づいて該メッセージ統合プラットフォームから該事業者メッセージリストを受け取る。
【００１８】
本発明の実施例に基づき、該メッセージ操作モジュールは、該事業者メッセージリストを受け取った後、該メッセージ操作モジュールは、第２指令を入力し、取引要求信号を発送し、該メッセージ統合プラットフォームにより取り引きを完成する。
【００１９】
本発明の実施例に基づき、該メッセージ操作モジュールが該第１指令を入力する前、該メッセージ操作モジュールが第３指令を入力し、該第３指令は、事業者名称を含み、コードクエリ要求信号を発送し、該メッセージ操作モジュールは、第３指令及び該事業者コード対照表に基づき、問い合わせされた該組の事業者コードをダウンロードする。
【００２０】
本発明の実施例に基づき、該事業者メッセージリストは、商品情報及び支払い情報を含み、該メッセージ操作モジュールは、表示ユニットを含み、該メッセージ操作モジュールが該事業者メッセージリストを受け取った後、該表示ユニットは、該事業者メッセージリストの該商品情報及び該支払い情報を表示する。
【００２１】
本発明の実施例に基づき、該事業者メッセージリストは、特定のウェブページアドレスを含み、該メッセージ操作モジュールが該事業者メッセージリストを受け取った後、該事業者メッセージリストの該特定のウェブページアドレスを実行する。
【００２２】
本発明の実施例に基づき、該メッセージ統合プラットフォームは、外部メッセージ統合プラットフォームであり、該メッセージ操作モジュールの外部に設置され、該メッセージ操作モジュールは、ネットワークモジュールを介して該メッセージ統合プラットフォームと接続する。
【００２３】
本発明の実施例に基づき、該メッセージ統合プラットフォームは、組み込み式メッセージ統合プラットフォームであり、該メッセージ操作モジュールに組み込まれ、該メッセージ操作モジュールが該第１指令を入力する前に、更に、該メッセージ操作モジュールが第４指令を入力し、メッセージ更新要求信号を発送し、ネットワークモジュールを介してリモートサーバを伝送し、該組み込み式メッセージ統合プラットフォームの情報を更新する。
【００２４】
本発明の実施例に基づき、該メッセージ操作モジュールは、入力ユニット、伝送ユニット及び処理ユニットを含み、該処理ユニットは、それぞれ該入力ユニット及び該伝送ユニットに接続し、該入力ユニットは、該第１指令を入力し、該接続要求信号を生成することに用いられ、該伝送ユニットは、該接続要求信号を発し、該メッセージ統合プラットフォームに接続する。
【発明の効果】
【００２５】
上記に基づき、本発明は、複数の事業者のメッセージをメッセージ統合プラットフォームに統合し、使用者は、例えば、モバイル電子装置のメッセージ操作モジュールを操作することにより、事業者のメッセージを取得することができる。消費者は、本発明によって各事業者の情報ページ面に迅速に接続することができる。特に、消費者は、ただ事業者コードを入力するだけで、事業者の情報ページ面に迅速に接続することができる。当然ながら、本発明は、専属空間を設計し、情報ページ面のない事業者にその事業者情報を保存させ、消費者にブラウジング及びショッピングを行わせることができる。
【００２６】
更に、本発明は、複数の事業者情報を統合し、消費者に便利にブラウジングさせ、従って、全ての事業者情報の被ブラウジング率を向上し、事業者の製品の露出を増加することができる。
【図面の簡単な説明】
【００２７】
【図１】本発明の実施例の事業者メッセージ統合システムの説明図である。
【図２Ａ】本発明のもう１つの実施例の事業者メッセージ統合システムの説明図である。
【図２Ｂ】図２Ａの事業者メッセージ統合システムのもう１つの説明図である。
【図３】本発明の事業者メッセージ統合システムの使用方法のフロー図である。
【発明を実施するための形態】
【００２８】
図１は、本発明の実施例の事業者メッセージ統合システムの説明図である。図１を参考とし、本実施例の事業者メッセージ統合システム１は、主にメッセージ統合プラットフォーム１０及びメッセージ操作モジュール２０を含む。本実施例において、メッセージ統合プラットフォーム１０は、事業者コード対照表１１０及び複数の事業者メッセージリスト１２０を自身に予め保存し、そのうち、事業者コード対照表１１０は、複数組の事業者メッセージリスト１２０と対応する事業者コード１１２を有する。メッセージ操作モジュール２０は、入力ユニット２１０、処理ユニット２２０及び伝送ユニット２３０を含む。本実施例において、処理ユニット２２０は、入力ユニット２１０と接続し、伝送ユニット２３０も処理ユニット２２０と接続する。
【００２９】
また、本実施例のメッセージ操作モジュール２０は、更に、表示ユニット２４０、取引ユニット２５０及びコードクエリユニット２６０を含む。そのうち、表示ユニット２４０及び該処理ユニット２２０と接続し、メッセージ統合プラットフォーム１０の情報を表示することができる。また、取引ユニット２５０及びコードクエリユニット２６０も処理ユニット２２０と接続する。
【００３０】
提示すべきこととして、本実施例において、メッセージ操作モジュール２０は、例えば、モバイル電子装置であり、入力ユニット２１０は、例えば、ボタン又はタッチスクリーンである。従って、消費者は、入力ユニット２１０を応用して第１指令Ｉ１を入力し、処理ユニット２２０は、第１指令Ｉ１を受け取り、接続要求信号Ｓ１を生成する。このように、伝送ユニット２３０は、接続要求信号Ｓ１を発することができ、メッセージ統合プラットフォーム１０と接続する。本実施例において、消費者が入力する第１指令Ｉ１は、例えば、上記複数の事業者コード１１２のうち１つを含み、メッセージ操作モジュール２０は、第１指令Ｉ１及び事業者コード対照表１１０に基づき、メッセージ統合プラットフォーム１０から事業者メッセージリスト１２０を受け取る。即ち、消費者は、事業者コードを直接入力することで事業者の情報ページ面に迅速に接続することができる。
【００３１】
詳細に述べれば、本実施例のメッセージ統合プラットフォーム１０は、例えば、更に保存ユニット１３０を有し、上記の事業者コード対照表１１０及び複数の事業者メッセージリスト１２０は、保存ユニット１３０中に保存される。消費者が特定の事業者の情報を知りたい時、直接、本実施例の入力ユニット２１０により事業者コード１１２を入力することができ、接続要求信号Ｓ１を発し、メッセージ統合プラットフォーム１０と接続し、事業者コード対照表１１０との接続の補助により知りたい事業者メッセージリスト１２０を受け取ることができる。そのうち、本実施例の事業者メッセージリスト１２０は、例えば、商品情報及び支払い情報を含み、直接、消費者にブラウジングさせ、選択購入後の支払い作業を行わせることができる。
【００３２】
更に述べれば、本実施例の事業者メッセージ統合システム１は、更に、ネットワークモジュール３０を含み、メッセージ統合プラットフォーム１０は、例えば、メッセージ操作モジュール２０の外部に設置される外部メッセージ統合プラットフォームであり、それは、例えば、遠隔地に位置する。従って、メッセージ操作モジュール２０は、ネットワークモジュール３０を介してメッセージ統合プラットフォーム１０と接続する。即ち、消費者は、直接、入力ユニット２１０が事業者コード１１２を入力した後、メッセージ操作モジュール２０は、ネットワークモジュール３０を介して例えば、遠隔地に位置するメッセージ統合プラットフォーム１０と接続し、即時にメッセージ統合プラットフォーム１０から商品情報及び支払い情報を含んだ事業者メッセージリスト１２０を取得し、表示ユニット２４０を介して表示し、消費者にブラウジングさせる。
【００３３】
また、本実施例の入力ユニット２１０は、更に、第２指令Ｉ２を入力することができ、処理ユニット２２０及び取引ユニット２５０は、第２指令Ｉ２を受け取り、取引要求信号Ｓ２を生成する。取引要求信号Ｓ２は、伝送ユニット２３０を介してメッセージ統合プラットフォーム１０を発送し、メッセージ統合プラットフォーム１０を介して取り引きを完成する。詳細に述べれば、消費者は、上記商品情報をブラウジングし、消費作業を行いたい時、消費者は、支払い情報に基づいて第２指令Ｉ２を入力し、取引要求信号Ｓ２をメッセージ統合プラットフォーム１０に伝送することにより取り引き作業を行う。
【００３４】
特に、消費者に、特定の事業者の事業者コード１１２が不明確である時、問い合わせの方式で分からせることができる。詳細に述べれば、消費者は、入力ユニット２１０に事業者名称を含む第３指令Ｉ３を入力することができ、処理ユニット２２０及びコードクエリユニット２６０は、第３指令Ｉ３を受け取り、コードクエリ要求信号Ｓ３を生成することができる。コードクエリ要求信号Ｓ３は、伝送ユニット２３０を介してメッセージ統合プラットフォーム１０に発送でき、事業者コード対照表１１０の情報を問い合わせることによって、メッセージ操作モジュール２０は、問い合わせた事業者コード１１２をダウンロードすることができ、表示ユニット２４０は、問い合わせた事業者コード１１２を表示することができる。当然ながら、消費者は、問い合わせた事業者コード１１２によりメッセージ統合プラットフォーム１０と接続の作業を行うことができる。
【００３５】
上記取引要求信号Ｓ２及びコードクエリ要求信号Ｓ３は、伝送ユニット２３０を介し、同様にネットワークモジュール３０を介して、例えば、遠隔地に位置するメッセージ統合プラットフォーム１０に伝送することができる。
【００３６】
本発明において、メッセージ操作モジュール２０は、例えば、携帯電話、タブレットＰＣ又はノート型パソコンのモバイル電子装置である以外に、メッセージ操作モジュール２０は、テレビ及びリモートコントローラの組み合わせであることもできる。そのうち、表示ユニット２４０は、例えば、テレビに設置され、入力ユニット２１０は、例えば、リモートコントローラに設置される。従って、消費者は、リモートコントローラ上の例えば、ボタンである入力ユニット２１０を操作することで、上記ダウンロードした事業者情報をテレビに表示することができる。当然ながら、消費者は、ショッピングチャンネルによりリモートコントローラを同期操作し、ショッピング作業を行うこともできる。
【００３７】
上記のように、本発明において、事業者メッセージリスト１２０は、商品情報及び支払い情報を含んだモードであることができる以外、、本発明の好適実施例において、事業者メッセージリスト１２０は、特定のウェブページアドレスを含むモードであることもできる。詳細に述べれば、メッセージ統合プラットフォーム１０は、特定ウェブページアドレスを含む事業者メッセージリスト１２０を取得した後、処理ユニット２２０は、例えば、この特定ウェブページアドレスを実行することができ、ネットワークモジュール３０を介して直接特定の事業者が所属する情報ページ面に進入し、商品のブラウジング又は消費を行う。
【００３８】
図２Ａは、本発明のもう１つの実施例の事業者メッセージ統合システムの説明図である。図２Ｂは、図２Ａの事業者メッセージ統合システムのもう１つの説明図である。図２Ａ及び図２Ｂを参考とし、本実施例の事業者メッセージ統合システム１'は、上記実施例の事業者メッセージ統合システム１と類似し、二者の主な差異は、以下にある。上記実施例の事業者メッセージ統合システム１のメッセージ統合プラットフォーム１０は、メッセージ操作モジュール２０の外部に設置される外部メッセージ統合プラットフォームであり、例えば、遠隔地に位置する。本実施例のメッセージ統合プラットフォーム１０'は、組み込み式メッセージ統合プラットフォームであり、それは、該メッセージ操作モジュール２０'である。提示すべきこととして、本実施例において、メッセージ統合プラットフォーム１０'及びメッセージ操作モジュール２０'の組み合わせは、例えば、携帯電話、タブレットＰＣ又はノート型パソコンのモバイル電子装置である。当然ながら、表示およびタッチ機能を兼ね備えるリモートコントローラであることもできる。
【００３９】
詳細に述べれば、本実施例のメッセージ操作モジュール２０'は、更に、メモリユニット２７０を有し、処理ユニット２２０と接続することができ、メッセージ統合プラットフォーム１０'は、メモリユニット２７０に嵌合設置される。また、本実施例の事業者メッセージ統合システム１'は、ネットワークモジュール３０も含む以外に、更に、リモートサーバ４０を含むことができ、メッセージ操作モジュール２０'は、更に、処理ユニット２２０と接続する更新ユニット２８０を含むことができる。提示すべきこととして、入力ユニット２１０は、消費者に第４指令Ｉ４を入力させることができ、処理ユニット２２０及び更新ユニット２８０は、第４指令Ｉ４を受け取り、メッセージ更新要求信号Ｓ４を生成することができる。メッセージ更新要求信号Ｓ４は、伝送ユニット２３０を介してネットワークモジュール３０に発送され、リモートサーバ４０に伝送し、組み込み式メッセージ統合プラットフォーム１０'の情報を更新する。
【００４０】
更に述べれば、本実施例のメッセージ統合プラットフォーム１０'は、メッセージ操作モジュール２０'に組み込まれる組み込み式メッセージ統合プラットフォーム１０'である。従って、消費者が入力ユニット２１０に入力する第１指令Ｉ１、第２指令Ｉ２及び第３指令Ｉ３は、メモリユニット２７０中に嵌合設置されるメッセージ統合プラットフォーム１０'を直接読み取るものである。即ち、メッセージ操作モジュール２０'の内部資料を直接読み取る。故に、ネットワーク接続がない状況において、消費者は、依然として事業者の商品情報をブラウジングすることができる。即ち、本実施例において、ネットワークモジュール３０及びリモートサーバ４０は、選択可能なアセンブリである。メッセージ操作モジュールにより事業者コードを入力することで直接メッセージ統合プラットフォーム１０から事業者メッセージリストを取得する技術ｈ、何れも本発明の精神及び範疇に属し、本発明は、ここで、如何なる制限も行わない。
【００４１】
当然ながら、消費者は、商品情報をブラウジングするか、消費作業を行う前、消費者は、好ましくは、メッセージ更新作用を行うことができ、メモリユニット２７０中に嵌合設置されるメッセージ統合プラットフォーム１０'に最新の事業者コード対照表１１０及び複数の事業者メッセージリスト１２０を有する。即ち、メッセージ統合プラットフォーム１０'は、最新の商品情報を有する。
【００４２】
上記のように、本実施例のリモートサーバ４０は、例えば、最新の事業者コード対照表１１０及び複数の事業者メッセージリスト１２０を持続的に保存し、消費者に不定期な更新作業を行わせる。
【００４３】
当然ながら、本実施例のメッセージ統合プラットフォーム１０'及びメッセージ操作モジュール２０'の組み合わせもリモートサーバ４０中の最新の事業者コード対照表及び複数の事業者メッセージリストを介して、事業者自身が作成する専属ウェブページに直接接続することができる。
【００４４】
図３は、本発明の事業者のメッセージ統合システムの使用方法のフロー図である。図３を参考し、本発明の事業者メッセージ統合システムの使用方法は、以下の工程を含む。先ず、工程３０２のように、メッセージ統合プラットフォーム１０を提供し、事業者コード対照表１１０及び複数の事業者メッセージリスト１２０を自身に予め保存し、そのうち、事業者コード対照表１１０は、複数組のこれら事業者メッセージリスト１２０と対応する事業者コード１１２を有する。続いて、工程３０４のように、メッセージ操作モジュール２０を提供する。続いて、工程３０６のように、メッセージ操作モジュール２０に第１指令Ｉ１を入力し、接続要求信号Ｓ１を事業者メッセージ統合システムに発送し、事業者メッセージ統合システムに接続し、そのうち、第１指令Ｉ１は、複数組の事業者コード１１２のうち１つを含む。その後、工程３０８のように、メッセージ操作モジュール２０は、第１指令Ｉ１及び事業者コード対照表１１０に基づき、メッセージ統合プラットフォーム１０から事業者メッセージリスト１２０を受け取る。
【００４５】
上記のように、工程３０８を行った後、工程３１０を行うことができ、メッセージ操作モジュール２０に第２指令Ｉ２を入力し、取引要求信号Ｓ２を発送し、メッセージ統合プラットフォーム１０により取り引きを完成する。また、工程３１０の後、本実施例は、表示ユニット２４０に事業者メッセージリスト１２０の商品情報及び支払い情報を表示することもできる。当然ながら、工程３０８を行った後、直接、表示ユニット２４０に事業者メッセージリスト１２０の商品情報を表示することもでき、本発明は、ここでは、制限を行わない。
【００４６】
好適実施例において、消費者は、工程３０６を行う前に、工程３０５を行い、メッセージ操作モジュール２０に第３指令Ｉ３を入力し、第３指令Ｉ３は、事業者の名称を含み、コードクエリ要求信号Ｓ３を発送し、メッセージ操作モジュール２０は、第３指令Ｉ３及び事業者コード対照表１１０に基づき、問い合わせられた事業者コード１１２をダウンロードすることができる。提示すべきこととして、メッセージ統合プラットフォーム１０'は、組み込み式メッセージ統合プラットフォームである時、工程３０６（メッセージ操作モジュール２０'が該第１指令Ｉ１を入力する）を行う前に工程３０５'を行うことができ、メッセージ操作モジュール２０'に該第４指令を入力し、メッセージ更新要求信号を発送し、ネットワークモジュール３０を介し、リモートサーバ４０に伝送し、組み込み式メッセージ統合プラットフォーム１０'の情報を更新する。
【００４７】
上記のように、本発明は、複数の事業者のメッセージをメッセージ統合プラットフォームに統合し、使用者は、例えば、モバイル電子装置のメッセージ操作モジュールを操作することにより、事業者のメッセージを取得することができる。消費者は、本発明によって各事業者の情報ページ面に迅速に接続することができる。特に、消費者は、ただ事業者コードを入力するだけで、事業者の情報ページ面に迅速に接続することができる。当然ながら、本発明は、専属空間を設計し、専属ウェブページのない事業者にその事業者情報を保存させ、消費者にブラウジング及びショッピングを行わせることができる。更に、本発明は、複数の事業者情報を統合し、消費者に便利にブラウジングさせ、従って、全ての事業者情報の被ブラウジング率を向上し、事業者の製品の露出を増加することができる。
【００４８】
また、メッセージ統合プラットフォームが外部メッセージ統合プラットフォームであるか、組み込み式メッセージ統合プラットフォームであるかに関わらず、本発明は、何れも消費者に最も直接的で最も便利に事業者メッセージを提供し、消費者に効率的な消費活動を行わせることができる。
【符号の説明】
【００４９】
１０  メッセージ統合プラットフォーム
１０'  メッセージ統合プラットフォーム
１１０  事業者コード対照表
１１２  事業者コード
１２０  事業者メッセージリスト
１３０  保存ユニット
２０  メッセージ操作モジュール
２０'  メッセージ操作モジュール
２１０  入力ユニット
２２０  処理ユニット
２３０  伝送ユニット
２４０  表示ユニット
２５０  取引ユニット
２６０  コードクエリユニット
２７０  メモリユニット
３０  ネットワークモジュール
４０  リモートサーバ
Ａ  事業者
Ｂ  事業者
Ｃ  事業者
【図１】
2017102909.tif 000003
【図２Ａ】
2017102909.tif 000004
【図２Ｂ】
2017102909.tif 000005
【図３】
2017102909.tif 000006